(57)【特許請求の範囲】
【請求項１】
直流電源と、前記直流電源より電源が供給されている間動作する制御手段と、交流電源から少なくとも前記直流電源への電力の供給を開閉することで制御し前記開閉状態を自己保持する電源開閉手段と、前記直流電源と並列に前記交流電源に接続されたノーマリーオープン型のスイッチと、前記スイッチと直列で、かつ前記直流電源と並列に前記交流電源に接続された補助電源回路とを備え、前記電源開閉手段が開状態のとき、前記スイッチがオンされると、前記補助電源回路が、交流電源より供給された電力によって前記電源開閉手段を閉状態とし、前記電源開閉手段が閉状態のとき、前記スイッチのオンが入力されると、前記制御手段が、前記電源開閉手段を開状態とするように構成した洗濯機等の電源開閉装置。
【請求項２】
交流電源から負荷への電力の供給を開閉することで制御する負荷用電源開閉手段を備え、前記負荷用電源開閉手段の開閉制御は、制御手段によって行われるように構成した請求項１記載の洗濯機等の電源開閉装置。
【請求項３】
請求項１記載の電源開閉装置と、予約運転の設定および実行を行う予約運転手段とを備え、予約運転の設定待機中に、電源開閉手段を閉状態とするように構成した洗濯機等の制御装置。
【請求項４】
請求項２記載の電源開閉装置と、予約運転の設定および実行を行う予約運転手段とを備え、予約運転の設定待機中に、電源開閉手段を閉状態とするように構成した洗濯機等の制御装置。
【請求項５】
請求項１記載の電源開閉装置と、回路部品の異常を検知する部品異常検知手段と、異常内容を記憶する不揮発性メモリーとを備え、前記部品異常検知手段により回路部品の異常を検知した場合に、前記不揮発性メモリーに異常内容を記憶し、電源開閉手段を開状態とするように構成した洗濯機等の制御装置。
【請求項６】
請求項２記載の電源開閉装置と、回路部品の異常を検知する部品異常検知手段と、異常を報知する異常報知手段とを備え、回路部品の異常を検知した場合に、負荷用電源開閉手段を開状態とし、前記異常報知手段により異常報知を行うように構成した洗濯機等の制御装置。
【発明の詳細な説明】
【０００１】
【発明の属する技術分野】
本発明は、直流電源より電源が供給されている間動作する制御手段を備えた洗濯機等の電源開閉装置および制御装置に関するものである。
【０００２】
【従来の技術】
従来、この種の電源開閉装置を備えた洗濯機は、図１７に示すように構成していた。以下、その構成について説明する。
【０００３】
図に示すように、負荷１はモータ２、給水弁３、排水弁４などで構成し、制御手段５により双方向性サイリスタなどで構成したパワースイッチング手段６を介して制御され、洗濯、すすぎ、脱水の各行程を逐次動作する。負荷用電源開閉手段７は負荷１に接続する交流電源８を開閉する。操作表示手段９は洗い、すすぎ、脱水等の運転設定、運転の開始、一時停止などを入力し、運転状態や異常時にはその内容等を表示するもので、スイッチ１０を有し、このスイッチ１０は電源の入り切りを入力するためのノーマリーオープン型で押している間のみオン状態となる。
【０００４】
直流電源１１は交流電源８に接続され、制御手段５に電源を供給している。水位検知手段１２は、洗濯兼脱水槽（図示せず）内の水位を検知し、その出力を制御手段５に入力し、所定水位まで給水できるようにしている。
【０００５】
上記構成において、スイッチ１０の入り切りを行う場合の動作を図１８のフローチャートに基づいて説明すると、交流電源８が接続された状態では、直流電源１１には常時通電されており、制御手段５は操作表示手段９に設けたスイッチ１０を常時監視しており、ステップ１４１でスイッチ１０が押されると、ステップ１４２で現在の状態からスイッチ１０の入力が電源入りか電源切りかを判断する。
【０００６】
電源入りの場合には、ステップ１４３で操作表示手段９により運転の設定等を受け付ける初期待機状態の表示を行ない、ステップ１４４で負荷用電源開閉手段７を閉状態とし、次行程へ移る。ステップ１４２で電源切りの場合には、ステップ１４５で負荷１が動作しているかどうかを判断し、負荷１が動作している場合は、ステップ１４６で負荷１をオフし、ステップ１４７でディレイ時間Ｔを設ける。負荷１が動作していない場合には、ステップ１４８に進み負荷用電源開閉手段７を開状態とし、ステップ１４９で操作表示手段９を消灯し、再びスイッチ１０の入力待ちとなる。
【０００７】
【発明が解決しようとする課題】
しかしながら、上記従来の構成では、洗濯機を運転していない状態、すなわち負荷１の電源がオフの状態でも、スイッチ１０の入力待ちのため、制御手段５を動作させておく必要が有るため、直流電源１１には、常時交流電源８が接続されている。そのために常時スタンバイ電力が消費されており、省エネルギーの観点からその低減策が望まれている。
【０００８】
また、直流電源１１が常時通電状態であるため、直流電源１１を構成している回路部品の発熱があり、洗濯機を使用していないのに、操作部が熱くなるという問題を有していた。
【０００９】
また、従来から、電源開閉手段と電源スイッチを兼用する構成とし、電源切り用のソレノイドを内蔵した手動式のオン／オフ状態を保持するタイプの電源スイッチを用いることにより、直流電源へ通電せずに電源の入り／切りを行い、電源スイッチの切りの動作のみを制御手段により動作させる例もあるが、このような構成では、電源スイッチの構造が複雑となり、防水性も悪く、オン／オフ時の操作ストロークが大きくなるため、操作性が悪いという問題を有していた。
【００１０】
本発明は上記従来の課題を解決するもので、電源切りの状態、すなわち負荷が動作していない状態のときに直流電源への通電をせず、スタンバイ電力がない状態でスイッチの入力を可能とし、スイッチの操作ストロークが短く、軽いタッチで入力でき、操作性、防水性を向上させることを目的としている。
【００１１】
【課題を解決するための手段】
本発明は上記目的を達成するために、交流電源から少なくとも直流電源への電力の供給を開閉することで制御し開閉状態を自己保持する電源開閉手段と、直流電源と並列に交流電源に接続されたノーマリーオープン型のスイッチと、スイッチと直列で、かつ直流電源と並列に交流電源に接続された補助電源回路とを備え、電源開閉手段が開状態のとき、スイッチがオンされると、補助電源回路が、交流電源より供給された電力によって電源開閉手段を閉状態とし、電源開閉手段が閉状態のとき、スイッチのオンが入力されると、制御手段が、電源開閉手段を開状態とするように構成したものである。
【００１２】
これにより、電源切りの状態、すなわち負荷が動作していない状態の時に、直流電源への通電をせず、スタンバイ電力がない状態でスイッチの入力が可能で、スイッチの操作ストロークが短く、軽いタッチで入力でき、操作性、防水性を向上させることができる。
【００１３】
【発明の実施の形態】
本発明の請求項１に記載の発明は、直流電源と、前記直流電源より電源が供給されている間動作する制御手段と、交流電源から少なくとも前記直流電源への電力の供給を開閉することで制御し前記開閉状態を自己保持する電源開閉手段と、前記直流電源と並列に前記交流電源に接続されたノーマリーオープン型のスイッチと、前記スイッチと直列で、かつ前記直流電源と並列に前記交流電源に接続された補助電源回路とを備え、前記電源開閉手段が開状態のとき、前記スイッチがオンされると、前記補助電源回路が、交流電源より供給された電力によって前記電源開閉手段を閉状態とし、前記電源開閉手段が閉状態のとき、前記スイッチのオンが入力されると、前記制御手段が、前記電源開閉手段を開状態とするように構成したものであり、電源切りの状態、すなわち負荷が動作していない状態のときに、電源開閉手段を開状態とし、直流電源への通電を行わずスタンバイ電力がゼロの状態でスイッチ入りの動作を行うことができる。
【００１４】
請求項２に記載の発明は、上記請求項１に記載の発明において、交流電源から負荷への電力の供給を開閉することで制御する負荷用電源開閉手段を備え、前記負荷用電源開閉手段の開閉制御は、制御手段によって行われるように構成したものであり、電源開閉手段に小容量の素子を用いることができ、そのために電源投入時の動作もより安定させることができる。
【００１５】
請求項３に記載の発明は、請求項１記載の電源開閉装置と、予約運転の設定および実行を行う予約運転手段とを備え、予約運転の設定待機中に、電源開閉手段を閉状態とするように構成したものであり、予約運転の設定待機中に、直流電源への通電を継続することができ、制御手段を動作させて予約待機状態を維持することができる。
【００１６】
請求項４に記載の発明は、請求項２記載の電源開閉装置と、予約運転の設定および実行を行う予約運転手段とを備え、予約運転の設定待機中に、電源開閉手段を閉状態とするように構成したものであり、予約運転の設定待機中に、直流電源への通電を継続することで制御手段を動作させ、予約待機状態を維持することができる。
【００１７】
請求項５に記載の発明は、請求項１記載の電源開閉装置と、回路部品の異常を検知する部品異常検知手段と、異常内容を記憶する不揮発性メモリーとを備え、前記部品異常検知手段により回路部品の異常を検知した場合に、前記不揮発性メモリーに異常内容を記憶し、電源開閉手段を開状態とするように構成したものであり、回路部品の異常による負荷の誤動作など、不安全状態となることを防止できる。
【００１８】
請求項６に記載の発明は、請求項２記載の電源開閉装置と、回路部品の異常を検知する部品異常検知手段と、異常を報知する異常報知手段とを備え、回路部品の異常を検知した場合に、負荷用電源開閉手段を開状態とし、前記異常報知手段により異常報知を行うように構成したものであり、回路部品の異常による負荷の誤動作など、不安全状態となることを防止でき、さらに回路部品の異常を使用者に報知することができる。
【００１９】
【実施例】
以下、本発明の実施例について図面を参照しながら説明する。なお、従来例と同じ構成のものは同一符号を付して説明を省略する。
【００２０】
（実施例１）
図１に示すように、電源開閉手段１３は、開閉状態を自己保持するラッチングリレーで構成し、負荷１および直流電源１１に接続する交流電源８を開閉する。電源状態表示手段１４は電源の入り／切りの状態を表示する。スイッチ１５は、電源の入り／切りを入力するもので、ノーマリーオープン型で、押されている間のみオン状態となる。補助電源回路１６は、スイッチ１５が押されると、交流電源８より供給された電力により電源を生成し、電源開閉手段１３を閉状態とし、また、スイッチ１５のオン状態を制御手段１７に出力するようにしている。
【００２１】
制御手段１７は、双方向性サイリスタなどで構成したパワースイッチング手段６を介して、モータ２、給水弁３、排水弁４などで構成した負荷１を制御し、洗濯、すすぎ、脱水の各行程を逐次動作するとともに、補助電源回路１６から電源を供給されて動作を開始した後、補助電源回路１６よりスイッチ１５のオンが入力されると、電源開閉手段１３を開状態とするよう構成している。
【００２２】
具体回路は、図２に示すように構成しており、直流電源１１はトランス１８、ブリッジダイオード１９、安定化電源回路２０で構成し、電源開閉手段１３が閉状態のときには制御手段１７に直流電源を供給している。スイッチ１５は、抵抗Ｒ１を介して交流電源８に接続している。
【００２３】
スイッチ１５が押されると、抵抗Ｒ１、Ｒ２により交流電源電圧が分圧され、ダイオードＤ１は分圧された交流電源電圧を半波整流し、電解コンデンサＣ１によって半波整流された電圧の脈流成分を平滑する。電源開閉手段１３が開状態の場合、直流電源１１には通電されておらず、そのため制御手段１７も動作していないので、出力端子ＯＵＴ１はロー状態となっているので、トランジスタＱ１はオン状態であるため、抵抗Ｒ３、トランジスタＱ１を通して電源開閉手段１３のセットコイル１３ａに電流を流すことで、電源開閉手段１３が閉状態に保持される。この閉状態はスイッチ１５がオフした後も自己保持される。
【００２４】
制御手段１７は、抵抗Ｒ４を介してスイッチ１５の切りの入力を受け付ける入力端子ＩＮと、抵抗Ｒ５を介してトランジスタＱ１をオフさせ、電源開閉手段１３のセットコイル１３ａへの通電を阻止させる出力端子ＯＵＴ１と、抵抗Ｒ６を介してトランジスタＱ２をオンさせ、直流電源１１より抵抗Ｒ７、トランジスタＱ２を介して電源開閉手段１３のリセットコイル１３ｂに通電させる出力端子ＯＵＴ２を有している。
【００２５】
上記構成において、スイッチ１５の入りを行う場合の動作について、図３のフローチャートに基づいて説明する。ステップ５１でスイッチ１５が押されると、ステップ５２で電源開閉手段１３のセットコイル１３ａに通電されることにより電源開閉手段１３が閉状態に保持される。
【００２６】
ステップ５３で直流電源１１に通電されることで制御手段１７が動作し、ステップ５４で制御手段１７は出力端子ＯＵＴ１をハイ状態とし、トランジスタＱ１をオフさせることにより電源入りの状態でスイッチ１５が押されても、電源開閉手段１３のセットコイル１３ａへの通電を阻止する。ステップ５５で電源状態表示手段１４の表示をオンし、電源入りの状態とし、次行程へ進む。
【００２７】
つぎに、スイッチの切りを行う場合の動作について、図４のフローチャートに基づいて説明する。ステップ６１でスイッチ１５の切りを受け付けると、制御手段１７はステップ６２で負荷１が動作しているかどうかを判断し、負荷１が動作している場合には、ステップ６３で負荷１の動作を停止させ、ステップ６４でディレイ時間Ｔ’を設け、ステップ６５に進む。
【００２８】
負荷１が動作していない場合はステップ６５に進み、電源状態表示手段１４をオフし、ステップ６６で出力端子ＯＵＴ２をハイ状態とし、トランジスタＱ２をオンさせることにより電源開閉手段１３のリセットコイル１３ｂに通電することで、電源開閉手段１３を開状態とし、直流電源１１への通電を遮断し、スイッチ切りの動作を終了する。
【００２９】
したがって、電源切りの状態、すなわち負荷１が動作していない状態のときに、電源開閉手段１３を開状態とし、直流電源１１への通電を行わずスタンバイ電力がゼロの状態でスイッチ１５の入りの動作を行うことができる。
【００３０】
（実施例２）
図５に示すように、負荷用電源開閉手段２２は、制御手段２３の出力により制御され、負荷１に接続する交流電源８を開閉する。電源開閉手段２４は直流電源１１に接続する交流電源８を開閉するように構成している。他の構成は上記実施例１と同じである。
【００３１】
具体回路は、図６に示すように構成しており、直流電源１１は電源開閉手段２４が閉状態のときには制御手段２３に直流電源を供給している。
【００３２】
制御手段２３は、抵抗Ｒ４を介してスイッチ１５の切りの入力を受け付ける入力端子ＩＮと、抵抗Ｒ５を介してトランジスタＱ１をオフさせ、電源開閉手段２４のセットコイル２４ａへの通電を阻止させる出力端子ＯＵＴ１と、抵抗Ｒ６を介してトランジスタＱ２をオンさせ、直流電源１１より抵抗Ｒ７、トランジスタＱ２を介して電源開閉手段２４のリセットコイル２４ｂに通電させる出力端子ＯＵＴ２と、抵抗Ｒ８を介してトランジスタＱ３をオンさせ、負荷用電源開閉手段２２をオンさせるための出力端子ＯＵＴ３とを有している。
【００３３】
上記構成において、スイッチの入りを行う場合の動作について、図７のフローチャートに基づいて説明する。ステップ７１でスイッチ１５が押されると、ステップ７２で電源開閉手段２４を閉状態に保持する。ステップ７３で直流電源１１が通電されることで制御手段２３が動作し、ステップ７４で制御手段２３は出力端子ＯＵＴ１をハイ状態とし、トランジスタＱ１をオフさせることにより電源開閉手段２４のセットコイル２４ａへの通電を阻止する。
【００３４】
ステップ７５で電源状態表示手段１４の表示をオンし、ステップ７６で制御手段２３は出力端子ＯＵＴ３をハイ状態とし、トランジスタＱ３をオンさせることにより負荷用電源開閉手段２２を閉状態とし次行程へ進む。
【００３５】
つぎに、スイッチの切りを行う場合の動作について、図８のフローチャートに基づいて説明する。ステップ８１でスイッチ１５の切りを受け付けると、制御手段２３はステップ８２で負荷１が動作しているかどうかを判断し、負荷１が動作している場合には、ステップ８３で負荷１の動作を停止させ、ステップ８４でディレイ時間Ｔ’を設け、ステップ８５に進む。
【００３６】
負荷１が動作していない場合はステップ８５に進み、出力端子ＯＵＴ３をロー状態とし、トランジスタＱ３をオフさせることにより負荷用電源開閉手段２２を開状態とし、ステップ８６で電源状態表示手段１４をオフし、ステップ８７で出力端子ＯＵＴ２をハイ状態とし、トランジスタＱ２をオフさせることにより電源開閉手段２４のリセットコイル２４ｂに通電し、電源開閉手段２４を開状態とし直流電源１１への通電を遮断する。
【００３７】
したがって、電源開閉手段２４は、直流電源１１への通電のみを開閉するため、電源開閉手段２４に小容量の素子を用いることができ、そのために電源投入時の動作もより安定させることができる。
【００３８】
（実施例３）
図９に示すように、予約運転手段２５は、制御手段２６が動作している間予約運転の設定入力、設定状態の表示および予約運転の実行を行うもので、予約運転手段２５より予約運転の設定が入力されると、制御手段２６は電源開閉手段１３の閉状態を継続することで、予約運転の待機状態を維持するように構成している。他の構成は上記実施例１と同じである。
【００３９】
上記構成において、予約運転を行う場合の動作について、図１０のフローチャートに基づいて説明する。ステップ９１で予約運転の設定が予約運転手段２５から入力されると、制御手段２６はステップ９２で電源開閉手段１３を閉状態に保持し、予約運転手段２５に予約運転の待機状態の表示を行う。この予約待機状態は、ステップ９３で予約運転の開始時間に到達するまで継続され、開始時間に到達すると、ステップ９４で制御手段２６は設定された予約運転を行う。
【００４０】
予約運転が終了すると、制御手段２６はステップ９５で負荷１の動作を停止させ、ステップ９６でディレイ時間Ｔ’を設け、ステップ９７で電源状態表示手段１４をオフし、ステップ９８で出力端子ＯＵＴ２をハイ状態とし、トランジスタＱ２をオンさせることにより電源開閉手段１３のリセットコイル１３ｂに通電し、電源開閉手段１３を開状態とし、電源切りの状態とし運転を終了する。
【００４１】
したがって、予約運転の設定待機中に、電源開閉手段１３の閉状態を継続することで、直流電源１１への通電を継続することができ、制御手段２６を動作させ続けることができ、予約運転の待機状態を維持することができる。
【００４２】
（実施例４）
図１１に示すように、予約運転手段２５は、制御手段２７が動作している間予約運転の設定入力、設定状態の表示および予約運転の実行を行うもので、予約運転の設定が予約運転手段２５から入力されると、制御手段２７は電源開閉手段２４の閉状態を継続することで、予約運転の待機状態を維持するように構成している。他の構成は上記実施例２と同じである。
【００４３】
上記構成において、予約運転を行う場合の動作について、図１２のフローチャートに基づいて説明する。ステップ１０１で予約運転の設定が予約運転手段２５から入力されると、制御手段２３はステップ１０２で負荷用電源開閉手段２２を開状態とし、ステップ１０３で電源開閉手段１３を閉状態に保持し、予約運転手段２５に予約運転の待機状態の表示を行う。この予約待機状態は、ステップ１０４で予約運転の開始時間に到達するまで継続され、開始時間に到達すると、ステップ１０５で負荷用電源開閉手段２２を閉状態とし、ステップ１０６で制御手段２７は設定された予約運転を行う。
【００４４】
予約運転が終了すると、制御手段２７はステップ１０７で負荷１の動作を停止させ、ステップ１０８でディレイ時間Ｔ’を設け、ステップ１０９で負荷用電源開閉手段２２を開状態とし、ステップ１１０で電源状態表示手段１４をオフし、ステップ１１１で電源開閉手段２４を開状態とし、電源切りの状態とし運転を終了する。
【００４５】
したがって、予約運転の設定待機中に、電源開閉手段２４の閉状態を継続することで、直流電源１１への通電を継続することができ、制御手段２７を動作させ続けることができ、予約運転の待機状態を維持することができる。さらに、電源開閉手段２４に小容量の素子を用いることができ、そのために電源投入時の動作もより安定させることができる。
【００４６】
（実施例５）
図１３に示すように、水位検知手段２８は、洗濯兼脱水槽（図示せず）内の水位を検知し制御手段２９に出力している。部品異常検知手段３０は水位検知手段２８などの回路部品の異常を検知し、検知した内容を制御手段２９に出力している。不揮発性メモリー３１は、検知した異常内容を記憶しておくように構成している。他の構成は上記実施例１と同じである。
【００４７】
上記構成において、回路部品の異常を検知した場合の動作について、図１４のフローチャートに基づいて説明する。ステップ１２１で部品異常検知手段３０より回路部品の異常が入力されると、制御手段２９は、ステップ１２２で負荷１が動作しているかどうかを判断し、負荷１が動作している場合には、ステップ１２３で負荷１の動作を停止させ、ステップ１２４に進む。
【００４８】
ステップ１２２で負荷１が動作していない場合は、ステップ１２４に進み、不揮発性メモリー３１に検知した異常内容を記憶し、ステップ１２５で電源状態表示手段１４の表示をオフし、ステップ１２６で電源開閉手段１３を開状態とし、負荷１および直流電源１１への通電を遮断し、この一連の動作を終了する。
【００４９】
したがって、回路部品の異常検知時に電源開閉手段１３を開状態とすることにより、回路部品の異常による負荷１の誤動作等不安全状態となることを防止でき、さらに、発生した異常内容を不揮発性メモリー３１に記憶することにより、異常内容を不揮発性メモリー３１の記憶内容より知ることができる。
【００５０】
（実施例６）
図１５に示すように、水位検知手段２８は、洗濯兼脱水槽（図示せず）内の水位を検知し制御手段３２に出力している。部品異常検知手段３０は水位検知手段２８などの回路部品の異常を検知し、検知した内容を制御手段３２に出力している。異常報知手段３３は、検知した異常内容を表示および報知するように構成している。他の構成は上記実施例２と同じである。
【００５１】
上記構成において、回路部品の異常を検知した場合の動作について、図１６のフローチャートに基づいて説明する。ステップ１３１で部品異常検知手段３０より回路部品の異常が入力されると、制御手段３２は、ステップ１３２で負荷１が動作しているかどうかを判断し、負荷１が動作している場合には、ステップ１３３で負荷１の動作を停止させ、ステップ１３４でディレイ時間Ｔ’を設け、ステップ１３５に進む。
【００５２】
ステップ１３２で負荷１が動作していない場合は、ステップ１３５に進み、負荷用電源開閉手段２２を開状態とし、ステップ１３６で異常報知手段３３に検知した異常内容を表示および報知し、この状態を電源プラグがコンセント（いずれも図示せず）より抜かれ、交流電源８が遮断されるまで継続する。
【００５３】
したがって、回路部品の異常検知時に負荷用電源開閉手段２２を開状態とすることにより、回路部品の異常による負荷１の誤動作等不安全状態となることを防止でき、さらに、異常報知手段３３により異常報知を行うことにより、回路部品の異常を使用者に報知し、異常内容を表示することができる。
【００５４】
なお、上記各実施例では、洗濯機について説明したが、洗濯機以外の、たとえば、衣類乾燥機、食器洗い乾燥機などの制御手段により行程を制御する機器の電源開閉装置についても同様にして実現できるものである。
【００５５】
【発明の効果】
以上のように、本発明の請求項１に記載の発明によれば、直流電源と、前記直流電源より電源が供給されている間動作する制御手段と、交流電源から少なくとも前記直流電源への電力の供給を開閉することで制御し前記開閉状態を自己保持する電源開閉手段と、前記直流電源と並列に前記交流電源に接続されたノーマリーオープン型のスイッチと、前記スイッチと直列で、かつ前記直流電源と並列に前記交流電源に接続された補助電源回路とを備え、前記電源開閉手段が開状態のとき、前記スイッチがオンされると、前記補助電源回路が、交流電源より供給された電力によって前記電源開閉手段を閉状態とし、前記電源開閉手段が閉状態のとき、前記スイッチのオンが入力されると、前記制御手段が、前記電源開閉手段を開状態とするように構成したから、電源切りの状態、すなわち負荷が動作していない状態のときに、電源開閉手段を開状態とし、直流電源への通電を行わず、制御手段を動作させることなくスイッチの入力をすることが可能であり、スタンバイ電力をなくすことができる。また、スイッチが切りの状態では直流電源へ通電しないため、直流電源を構成する回路部品の発熱もなく、操作部が熱くなるのをなくすることができる。
【００５６】
また、スイッチと電源開閉手段を別に設ける構成としているため、スイッチに大電流を流す必要がなくスイッチの構造を簡単にできるため、操作性、防水性を容易に向上させることが可能である。また、電源開閉手段に開閉状態を自己保持する素子を用いるため、閉状態を保持するための電流が不要となり、直流電源の容量を低減することができる。
【００５７】
また、請求項２に記載の発明によれば、交流電源から負荷への電力の供給を開閉することで制御する負荷用電源開閉手段を備え、前記負荷用電源開閉手段の開閉制御は、制御手段によって行われるように構成したから、電源開閉手段に小容量の素子を用いることができ、そのために電源投入時の動作もより安定させることができる。
【００５８】
また、請求項３に記載の発明によれば、請求項１記載の電源開閉装置と、予約運転の設定および実行を行う予約運転手段とを備え、予約運転の設定待機中に、電源開閉手段を閉状態とするように構成したから、予約運転の設定待機中に、直流電源への通電を継続することができ、制御手段を動作させ続けることができて、予約運転の待機状態を維持することができる。
【００５９】
また、請求項４に記載の発明によれば、請求項２記載の電源開閉装置と、予約運転の設定および実行を行う予約運転手段とを備え、予約運転の設定待機中に、電源開閉手段を閉状態とするように構成したから、予約運転の設定待機中に、直流電源への通電を継続することができ、制御手段を動作させ続けることができて、予約運転の待機状態を維持することができ、さらに、電源開閉手段に小容量の素子を用いることができ、そのために電源投入時の動作もより安定させることができる。
【００６０】
また、請求項５に記載の発明によれば、請求項１記載の電源開閉装置と、回路部品の異常を検知する部品異常検知手段と、異常内容を記憶する不揮発性メモリーとを備え、前記部品異常検知手段により回路部品の異常を検知した場合に、前記不揮発性メモリーに異常内容を記憶し、電源開閉手段を開状態とするように構成したから、回路部品の異常検知時に電源開閉手段を開状態とすることにより、回路部品の異常による負荷の誤動作等不安全状態となることを防止でき、さらに発生した異常内容を不揮発性メモリーに記憶することにより、異常内容を不揮発性メモリーの記憶内容より知ることができる。
【００６１】
また、請求項６に記載の発明によれば、請求項２記載の電源開閉装置と、回路部品の異常を検知する部品異常検知手段と、異常を報知する異常報知手段とを備え、前記部品異常検知手段により回路部品の異常を検知した場合に、負荷用電源開閉手段を開状態とし、前記異常報知手段により異常報知を行うように構成したから、回路部品の異常検知時に負荷用電源開閉手段を開状態とすることにより、回路部品の異常による負荷の誤動作等不安全状態となることを防止でき、さらに、異常報知手段により異常報知を行うことにより、回路部品の異常を使用者に報知し、異常内容を表示することができる。
【図面の簡単な説明】
【図１】  本発明の第１の実施例の洗濯機等の電源開閉装置のブロック図
【図２】  同洗濯機等の電源開閉装置の回路図
【図３】  同洗濯機等の電源開閉装置の電源入り入力時の動作を示すフローチャート
【図４】  同洗濯機等の電源開閉装置の電源切り入力時の動作を示すフローチャート
【図５】  本発明の第２の実施例の洗濯機等の電源開閉装置のブロック図
【図６】  同洗濯機等の電源開閉装置の回路図
【図７】  同洗濯機等の電源開閉装置の電源入り入力時の動作を示すフローチャート
【図８】  同洗濯機等の電源開閉装置の電源切り入力時の動作を示すフローチャート
【図９】  本発明の第３の実施例の洗濯機等の制御装置のブロック図
【図１０】  同洗濯機等の制御装置の予約時の動作を示すフローチャート
【図１１】  本発明の第４の実施例の洗濯機等の制御装置のブロック図
【図１２】  同洗濯機等の制御装置の予約時の動作を示すフローチャート
【図１３】  本発明の第５の実施例の洗濯機等の制御装置のブロック図
【図１４】  同洗濯機等の制御装置の部品異常検知時の動作を示すフローチャート
【図１５】  本発明の第６の実施例の洗濯機等の制御装置のブロック図
【図１６】  同洗濯機等の制御装置の部品異常検知時の動作を示すフローチャート
【図１７】  従来の電源開閉装置を備えた洗濯機のブロック図
【図１８】  同電源開閉装置の電源入り／切り入力時の動作を示すフローチャート
【符号の説明】
８  交流電源
１１  直流電源
１３  電源開閉手段
１５  スイッチ
１６  補助電源回路
１７  制御手段
【図１】
0003855375.tif 000002
【図２】
0003855375.tif 000003
【図３】
0003855375.tif 000004
【図４】
0003855375.tif 000005
【図５】
0003855375.tif 000006
【図６】
0003855375.tif 000007
【図７】
0003855375.tif 000008
【図８】
0003855375.tif 000009
【図９】
0003855375.tif 000010
【図１０】
0003855375.tif 000011
【図１１】
0003855375.tif 000012
【図１２】
0003855375.tif 000013
【図１３】
0003855375.tif 000014
【図１４】
0003855375.tif 000015
【図１５】
0003855375.tif 000016
【図１６】
0003855375.tif 000017
【図１７】
0003855375.tif 000018
【図１８】
0003855375.tif 000019